(57)【特許請求の範囲】
【請求項１】
（１）（１ａ）第１の層、当該第１の層上に形成されている第２の層、及び、当該第２の層上に形成されている第３の層のうち、前記第２の層中に設けられている第１の巻線本体と、
（１ｂ）前記第１の層中に設けられている、前記第１の巻線本体より小さい第２の巻線本体と、
（１ｃ）前記第２の層中に設けられている、前記第２の巻線本体より小さい第３の巻線本体と、
（１ｄ）前記第２の層中で、前記第１の巻線本体から延在する、平衡型の第１の信号の入力及び出力の一方を行うため一対の第１の入出力配線と、
（１ｅ）前記第１の巻線本体と前記第２の巻線本体とを接続するための一対の第１の接続配線と、
（１ｆ）前記第２の巻線本体と前記第３の巻線本体とを接続するための一対の第２の接続配線と、を有する第１の巻線と、
（２）（２ａ）前記第３の層中に設けられている第４の巻線本体と、
（２ｂ）前記第２の層中における、前記第１の巻線本体と前記第３の巻線本体との間に設けられている、前記第４の巻線本体より小さい第５の巻線本体と、
（２ｃ）前記第３の層中に設けられている、前記第５の巻線本体より小さい第６の巻線本体と、
（２ｄ）前記第３の層中で、前記第４の巻線本体から延在する、平衡型の第２の信号の入力及び出力の他方を行うための一対の第２の入出力配線と、
（２ｅ）前記第４の巻線本体と前記第５の巻線本体とを接続するための一対の第３の接続配線と、
（２ｆ）前記第５の巻線本体と前記第６の巻線本体とを接続するための一対の第４の接続配線とを有する第２の巻線であって、前記第１の巻線に重畳している前記第２の巻線と、を含むことを特徴とするインダクタ。
【請求項２】
（１）（１ａ）第１の層、当該第１の層上に形成されている第２の層、及び、当該第２の層上に形成されている第３の層のうち、前記第２の層中に設けられている第１の巻線本体と、
（１ｂ）前記第１の層中に設けられている、前記第１の巻線本体より小さい第２の巻線本体と、
（１ｃ）前記第２の層中に設けられている、前記第２の巻線本体より小さい第３の巻線本体と、
（１ｄ）前記第２の層中で、前記第１の巻線本体から延在する、平衡型の信号について入力及び出力の一方を行うための一対の第１の入出力配線と
（１ｅ）前記第１の巻線本体と前記第２の巻線本体とを接続するための一対の第１の接続配線と、
（１ｆ）前記第２の巻線本体と前記第３の巻線本体とを接続するための一対の第２の接続配線と、を有する第１の巻線と、
（２）（２ａ）前記第３の層中に設けられている、渦巻状の第４の巻線本体と、
（２ｂ）前記第４の巻線本体の中心側の端部を起点として、前記第３の層及び前記第２の層に亘って設けられた第３の接続配線と、
（２ｃ）前記第２の層中で、前記第３の接続配線の前記第２の層中の端部を起点として前記第４の巻線本体の外側に向けて、前記一対の第１の入出力配線により規定される空間を経て延在する第２の入出力配線であって、不平衡型の信号について前記第４の巻線本体の外側の端部と協働して前記入力及び前記出力の他方を行うための前記第２の入出力配線と、を有する第２の巻線であって、前記第１の巻線に重畳している前記第２の巻線と、を含むことを特徴とするインダクタ。
【請求項３】
前記一対の第１の接続配線、前記一対の第２の接続配線、前記一対の第３の接続配線、及び、前記一対の第４の接続配線は、相互にねじれの関係にあり、鈍角である頂角を有する凸状の部分を備えることを特徴とする請求項１記載のインダクタ。
【請求項４】
前記一対の第１の接続配線、及び、前記一対の第２の接続配線は、相互にねじれの関係にあり、鈍角である頂角を有する凸状の部分を備えることを特徴とする請求項２記載のインダクタ。
【請求項５】
前記一対の第１の接続配線、前記一対の第２の接続配線、前記一対の第３の接続配線、及び、前記一対の第４の接続配線は、相互にねじれの関係にある湾曲の部分を備えることを特徴とする請求項１記載のインダクタ。
【請求項６】
前記一対の第１の接続配線、及び、前記一対の第２の接続配線は、相互にねじれの関係にある湾曲の部分を備えることを特徴とする請求項２記載のインダクタ。
【請求項７】
前記一対の第１の接続配線、前記一対の第２の接続配線、前記一対の第３の接続配線、及び、前記一対の第４の接続配線は、切り欠きの部分を備えることを特徴とする請求項１記載のインダクタ。
【請求項８】
前記一対の第１の接続配線、及び、前記一対の第２の接続配線は、切り欠きの部分を備えることを特徴とする請求項２記載のインダクタ。
【発明の詳細な説明】
【技術分野】
【０００１】
本発明は、一の平衡型の回路系と他の平衡型の回路系との間で、又は、平衡型の回路系と不平衡型の回路系との間で信号を変換する整合回路等に用いられるインダクタに関する。
【背景技術】
【０００２】
図１０は、従来のインダクタの構造を示す。従来のインダクタＤ１０は、不平衡型の回路系と不平衡型の回路系との間で、下記の特許文献１〜特許文献３に記載されたトランスの機能を果たすべく、図１０（Ｂ）に示されるように、基板ＳＢ上にパシベーション層ＰＶを隔てて、２つの渦巻状の巻線である第１の巻線Ｗ１０及び第２の巻線Ｗ２０から構成されている。
【０００３】
より詳しくは、第１の巻線Ｗ１０は、渦巻状の巻線本体ＷＤ１０と、当該巻線本体ＷＤ１０の中心側の端部ＥＤ１０ａを、一の外部端子又は一の外部回路（図示せず。）に接続すべく、当該端部ＥＤ１０ａを起点として外側の端部ＥＤ１０ｂに向けて延在する配線ＬＮ１０とを有する。
【０００４】
同様に、第２の巻線Ｗ２０は、渦巻状の巻線本体ＷＤ２０と、当該巻線本体ＷＤ２０の中心側の端部ＥＤ２０ａを、他の外部端子又は他の外部回路に接続すべく、当該端部ＥＤ２０ａを起点として外側の端部ＥＤ２０ｂに向けて延在する配線ＬＮ２０とを有する。
【０００５】
【特許文献１】特開２００２−２３１８１７号公報
【特許文献２】特開２００５−３４０６５８号公報
【特許文献３】特開平６−３４７１４２号公報
【発明の開示】
【発明が解決しようとする課題】
【０００６】
しかしながら、従来のインダクタＤ１０では、第１の巻線Ｗ１０については、前記配線ＬＮ１０が、上記したパシベーション層ＰＶ上の第１の層Ｌ１０に形成されており、前記巻線本体ＷＤ１０が、前記第１の層Ｌ１０上の第２の層Ｌ２０に形成されており、さらに、第２の巻線Ｗ２０については、前記巻線本体ＷＤ２０が、前記第２の層Ｌ２０上の第３の層Ｌ３０に形成されており、前記配線ＬＮ２０が、前記第３の層Ｌ３０上の第４の層Ｌ４０に形成されている。この結果、当該インダクタＤ１０を形成するためには、４つの層、即ち、第１の層Ｌ１０〜第４の層Ｌ４０が必要であり、インダクタＤ１０を４層より少ない層で構成するという「薄化」ができなかった。
【課題を解決するための手段】
【０００７】
本発明は、上記した課題を解決すべく、以下の適用例により実現される。
【０００８】
［適用例１］
適用例１のインダクタは、
（１）（１ａ）第１の層、当該第１の層上に形成されている第２の層、及び、当該第２の層上に形成されている第３の層のうち、前記第２の層中に設けられている第１の巻線本体と、
（１ｂ）前記第１の層中に設けられている、前記第１の巻線本体より小さい第２の巻線本体と、
（１ｃ）前記第２の層中に設けられている、前記第２の巻線本体より小さい第３の巻線本体と、
（１ｄ）前記第２の層中で、前記第１の巻線本体から延在する、平衡型の第１の信号の入力及び出力の一方を行うため一対の第１の入出力配線と、
（１ｅ）前記第１の巻線本体と前記第２の巻線本体とを接続するための一対の第１の接続配線と、
（１ｆ）前記第２の巻線本体と前記第３の巻線本体とを接続するための一対の第２の接続配線と、を有する第１の巻線と、
（２）（２ａ）前記第３の層中に設けられている第４の巻線本体と、
（２ｂ）前記第２の層中における、前記第１の巻線本体と前記第３の巻線本体との間に設けられている、前記第４の巻線本体より小さい第５の巻線本体と、
（２ｃ）前記第３の層中に設けられている、前記第５の巻線本体より小さい第６の巻線本体と、
（２ｄ）前記第３の層中で、前記第４の巻線本体から延在する、平衡型の第２の信号の入力及び出力の他方を行うための一対の第２の入出力配線と
（２ｅ）前記第４の巻線本体と前記第５の巻線本体とを接続するための一対の第３の接続配線と、
（２ｆ）前記第５の巻線本体と前記第６の巻線本体とを接続するための一対の第４の接続配線とを有する第２の巻線であって、前記第１の巻線に重畳している前記第２の巻線と、を含む。
【０００９】
適用例１のインダクタによれば、前記第１の巻線については、前記第１の巻線本体及び第３の巻線本体が前記第２の層に設けられており、かつ、前記第２の巻線本体が前記第１の層に設けられており、また、前記第１の巻線については、前記第４の巻線本体及び第６の巻線本体が前記第３の層に設けられており、かつ、前記第５の巻線本体が前記第２の層に設けられ、しかも、当該第５の巻線本体が、前記第１の巻線本体と前記第３の巻線本体との間に位置する。これにより、従来のインダクタと異なり、当該適用例１のインダクタを第１の層〜第３の層という３つの層のみで構成することができ、従来に比して「薄化」することが可能となる。
【００１０】
［適用例２］
適用例２のインダクタは、
（１）（１ａ）第１の層、当該第１の層上に形成されている第２の層、及び、当該第２の層上に形成されている第３の層のうち、前記第２の層中に設けられている第１の巻線本体と、
（１ｂ）前記第１の層中に設けられている、前記第１の巻線本体より小さい第２の巻線本体と、
（１ｃ）前記第２の層中に設けられている、前記第２の巻線本体より小さい第３の巻線本体と、
（１ｄ）前記第２の層中で、前記第１の巻線本体から延在する、平衡型の信号について入力及び出力の一方を行うための一対の第１の入出力配線と、
（１ｅ）前記第１の巻線本体と前記第２の巻線本体とを接続するための一対の第１の接続配線と、
（１ｆ）前記第２の巻線本体と前記第３の巻線本体とを接続するための一対の第２の接続配線と、を有する第１の巻線と、
（２）（２ａ）前記第３の層中に設けられている、渦巻状の第４の巻線本体と、
（２ｂ）前記第４の巻線本体の中心側の端部を起点として、前記第３の層及び前記第２の層に亘って設けられた第３の接続配線と、
（２ｃ）前記第２の層中で、前記第３の接続配線の前記第２の層中の端部を起点として前記第４の巻線本体の外側に向けて、前記一対の第１の入出力配線により規定される空間を経て延在する第２の入出力配線であって、不平衡型の信号について前記第４の巻線本体の外側の端部と協働して前記入力及び前記出力の他方を行うための前記第２の入出力配線と、を有する第２の巻線であって、前記第１の巻線に重畳している前記第２の巻線と、を含む。
【００１１】
適用例２のインダクタによれば、前記第２の巻線の前記入出力配線を、前記第２の層において、前記第１の巻線の前記一対の第１の接続配線のねじれ関係により規定される領域を経て前記第２の巻線の外側に向けて延在させることにより、当該入出力配線を、前記第１の層〜前記第３の層以外の層に設ける必要が無いことから、従来と異なり、当該適用例２のインダクタを前記第１の層〜前記第３の層という３つの層のみで構成することができ、従来に比して「薄化」することが可能となる。
【００１２】
［適用例３］
適用例３のインダクタは、適用例１のインダクタであって、
前記一対の第１の接続配線、前記一対の第２の接続配線、前記一対の第３の接続配線、及び、前記一対の第４の接続配線は、相互にねじれの関係にあり、鈍角である頂角を有する凸状の部分を備える。
【００１３】
［適用例４］
適用例４のインダクタは、適用例２のインダクタであって、
前記一対の第１の接続配線、及び、前記一対の第２の接続配線は、相互にねじれの関係にあり、鈍角である頂角を有する凸状の部分を備える。
【００１４】
［適用例５］
適用例５のインダクタは、適用例１のインダクタであって、
前記一対の第１の接続配線、前記一対の第２の接続配線、前記一対の第３の接続配線、及び、前記一対の第４の接続配線は、相互にねじれの関係にある湾曲の部分を備える。
【００１５】
［適用例６］
適用例６のインダクタは、適用例２のインダクタであって、
前記一対の第１の接続配線、及び、前記一対の第２の接続配線は、相互にねじれの関係にある湾曲の部分を備える。
【００１６】
［適用例７］
適用例７のインダクタは、適用例１のインダクタであって、
前記一対の第１の接続配線、前記一対の第２の接続配線、前記一対の第３の接続配線、及び、前記一対の第４の接続配線は、切り欠きの部分を備える。
【００１７】
［適用例８］
適用例８のインダクタは、適用例２のインダクタであって、
前記一対の第１の接続配線、及び、前記一対の第２の接続配線は、切り欠きの部分を備える。
【発明を実施するための最良の形態】
【００１８】
実施例のインダクタについて図面を参照して説明する。
【００１９】
《実施例１》
〈第１の巻線と第２の巻線〉
図１は、実施例１のインダクタの構成を示す斜視図であり、図２は、実施例１のインダクタの構成を示す平面図及び断面図である。実施例１のインダクタＤ１は、一の平衡型の回路系と他の平衡型の回路系との間でのトランスとして機能すべく（例えば、高インピーダンスの回路系から入力される平衡型の信号を、低インピーダンスの回路系に整合する他の平衡型の信号に変換して出力し、又は、反対に、低インピーダンスの回路系から入力される平衡型の信号を、高インピーダンスの回路系に整合する他の平衡型の信号に変換して出力すべく）、図１及び２（Ａ）に示されるように、第１の巻線Ｗ１及び第２の巻線Ｗ２を含む。
【００２０】
図４（Ｂ）に明示される、第１の巻線Ｗ１の接続配線Ｗ１（Ｌ１−Ｌ２）ｅｍ１、Ｗ１（Ｌ１−Ｌ２）ｅｍ２のような、層Ｌ１〜Ｌ３（図２（Ｂ）に図示。）間に亘る接続配線についての詳細な構成については、図９を用いて後述する。
【００２１】
第１の巻線Ｗ１及び第２の巻線Ｗ２は、図２（Ｂ）に示されるように、基板ＳＢ上にパシベーション層ＰＶを隔てて形成されている第１の層Ｌ１、第２の層Ｌ２、及び第３の層Ｌ３に亘って設けられている。即ち、第１の巻線Ｗ１及び第２の巻線Ｗ２は、図２（Ａ）、（Ｂ）に示されるように重畳しており、詳細には、図２（Ｂ）に示されるように、第２の巻線Ｗ２の第４の巻線本体ＷＤ４が、第１の巻線Ｗ１の第１の巻線本体ＷＤ１の上方に位置しており、第２の巻線Ｗ２の第５の巻線本体ＷＤ５が、第１の巻線Ｗ１の第２の巻線本体ＷＤ２の上方に、かつ、第１の巻線Ｗ１の第１の巻線本体ＷＤ１と第１の巻線Ｗ１の第３の巻線本体ＷＤ３との間に位置し、第２の巻線Ｗ２の第６の巻線本体ＷＤ６が、第１の巻線Ｗ１の第３の巻線本体ＷＤ３の上方に位置している。
【００２２】
図３（Ａ）は、実施例１の第２の巻線の構成を示す平面図であり、図３（Ｂ）は、実施例１の第１の巻線の構成を示す平面図であり、図４（Ａ）は、実施例１の第２の巻線の構成を構成を示す斜視図であり、図４（Ｂ）は、実施例１の第１の巻線の構成を示す斜視図である。
【００２３】
〈第１の巻線〉
第１の巻線Ｗ１は、図３（Ｂ）及び図４（Ｂ）に示されるように、第１の巻線本体ＷＤ１と、第２の巻線本体ＷＤ２と、第３の巻線本体ＷＤ３と、一対の入出力配線Ｗ１（Ｌ２）ｅＡ、Ｗ１（Ｌ２）ｅＢと、一対の接続配線Ｗ１（Ｌ１−Ｌ２）ｅｍ１、Ｗ１（Ｌ１−Ｌ２）ｅｍ２と、一対の接続配線Ｗ１（Ｌ１−Ｌ２）ｍｉ１、Ｗ１（Ｌ１−Ｌ２）ｍｉ２と、を有する。
【００２４】
第１の巻線本体ＷＤ１は、図２（Ｂ）に示されるように、第２の層Ｌ２に設けられており、また、図３（Ｂ）及び図４（Ｂ）に示されるように、６本の線部、即ち、線部Ｗ１（Ｌ２）ｅ１〜Ｗ１（Ｌ２）ｅ６から構成されている。また、当該第１の巻線本体ＷＤ１の線部Ｗ１（Ｌ２）ｅ３、Ｗ１（Ｌ２）ｅ４から、当該第１の巻線本体ＷＤ１から一の平衡型の信号を入力し又は出力するための入出力配線Ｗ１（Ｌ２）ｅＡ、Ｗ１（Ｌ２）ｅＢがＹ方向に沿って延在し又は突出している。
【００２５】
第２の巻線本体ＷＤ２は、図２（Ｂ）に示されるように、前記第２の層Ｌ２の下である第１の層Ｌ１に設けられており、また、図３（Ｂ）及び図４（Ｂ）に示されるように、前記第１の巻線本体ＷＤ１より一回り小さく形成されている。当該第２の巻線本体ＷＤ２は、６本の線部、即ち、線部Ｗ１（Ｌ１）ｍ１〜Ｗ１（Ｌ１）ｍ６から構成されている。
【００２６】
第３の巻線本体ＷＤ３は、図２（Ｂ）に示されるように、第１の巻線本体ＷＤ１と同様に、第２の層Ｌ２に設けられており、また、図３（Ｂ）及び図４（Ｂ）に示されるように、第２の巻線本体ＷＤ２より一回り小さく形成されている。当該第３の巻線本体ＷＤ３は、５本の線部、即ち、線部Ｗ１（Ｌ２）ｉ１〜Ｗ１（Ｌ２）ｉ５から構成されている。
【００２７】
第１の巻線本体ＷＤ１と第２の巻線本体ＷＤ２とは、図３（Ｂ）及び図４（Ｂ）に示されるように、ねじれの関係にある一対の接続配線Ｗ１（Ｌ１−Ｌ２）ｅｍ１、Ｗ１（Ｌ１−Ｌ２）ｅｍ２により接続されており、詳しくは、第１の巻線本体ＷＤ１の線部Ｗ１（Ｌ２）ｅ１と第２の巻線本体ＷＤ２の線部Ｗ１（Ｌ１）ｍ６とが、接続配線Ｗ１（Ｌ１−Ｌ２）ｅｍ１により接続され、また、第１の巻線本体ＷＤ１の線部Ｗ１（Ｌ２）ｅ６と第２の巻線本体ＷＤ２の線部Ｗ１（Ｌ１）ｍ１とが、接続配線Ｗ１（Ｌ１−Ｌ２）ｅｍ２により接続されている。
【００２８】
第２の巻線本体ＷＤ２と第３の巻線本体ＷＤ３とは、図３（Ｂ）及び図４（Ｂ）に示されるように、ねじれの関係にある一対の接続配線Ｗ１（Ｌ１−Ｌ２）ｍｉ１、Ｗ１（Ｌ１−Ｌ２）ｍｉ２により接続されており、詳しくは、第２の巻線本体ＷＤ２の線部Ｗ１（Ｌ１）ｍ４と第３の巻線本体ＷＤ３の線部Ｗ１（Ｌ２）ｉ５とが、接続配線Ｗ１（Ｌ１−Ｌ２）ｍｉ１により接続され、また、第２の巻線本体ＷＤ２の線部Ｗ１（Ｌ１）ｍ３と第３の巻線本体ＷＤ３の線部Ｗ１（Ｌ２）ｉ１とが、接続配線Ｗ１（Ｌ１−Ｌ２）ｍｉ２により接続されている。
【００２９】
〈第２の巻線〉
第２の巻線Ｗ２は、図３（Ａ）及び図４（Ａ）に示されるように、第４の巻線本体ＷＤ４と、第５の巻線本体ＷＤ５と、第６の巻線本体ＷＤ６と、一対の接続配線Ｗ２（Ｌ２−Ｌ３）ｅｍ１、Ｗ２（Ｌ２−Ｌ３）ｅｍ２と、一対の接続配線Ｗ２（Ｌ２−Ｌ３）ｍｉ１、Ｗ２（Ｌ２−Ｌ３）ｍｉ２と、一対の入出力配線Ｗ２（Ｌ３）ｅＡ、Ｗ２（Ｌ３）ｅＢとを有する。
【００３０】
第４の巻線本体ＷＤ４は、図２（Ｂ）に示されるように、前記第２の層Ｌ２の上である第３の層Ｌ３に設けられており、また、図３（Ａ）及び図４（Ａ）に示されるように、６本の線部、即ち、線部Ｗ２（Ｌ３）ｅ１〜Ｗ２（Ｌ３）ｅ６から構成されている。また、当該第４の巻線本体ＷＤ４の線部Ｗ２（Ｌ３）ｅ１、Ｗ２（Ｌ３）ｅ６から、当該第４の巻線本体ＷＤ４から、前記一の平衡型とは異なる他の平衡型の信号を出力し又は入力するための入出力配線Ｗ２（Ｌ３）ｅＡ、Ｗ２（Ｌ３）ｅＢがＹ方向に延在し又は突出している。
【００３１】
第５の巻線本体ＷＤ５は、図２（Ｂ）に示されるように、第２の層Ｌ２に設けられており、また、図３（Ａ）及び図４（Ａ）に示されるように、第４の巻線本体ＷＤ４より一回り小さく形成されている。加えて、第５の巻線本体ＷＤ５は、第１の巻線Ｗ１の第１の巻線本体ＷＤ１及び第３の巻線本体ＷＤ３との関係については、第１の巻線本体ＷＤ１と第３の巻線本体ＷＤ３との間に位置している。当該第５の巻線本体ＷＤ５は、６本の線部、即ち、線部Ｗ２（Ｌ２）ｍ１〜Ｗ２（Ｌ２）ｍ６から構成されている。
【００３２】
第６の巻線本体ＷＤ６は、図２（Ｂ）に示されるように、第４の巻線本体ＷＤ４と同様に、第３の層Ｌ３に設けられており、また、図３（Ａ）及び図４（Ａ）に示されるように、第５の巻線本体ＷＤ５より一回り小さく形成されている。当該第６の巻線本体ＷＤ６は、５本の線部、即ち、線部Ｗ２（Ｌ３）ｉ１〜Ｗ２（Ｌ３）ｉ５から構成されている。
【００３３】
第４の巻線本体ＷＤ４と第５の巻線本体ＷＤ５とは、図３（Ａ）及び図４（Ａ）に示されるように、ねじれの関係にある一対の接続配線Ｗ２（Ｌ２−Ｌ３）ｅｍ１、Ｗ２（Ｌ２−Ｌ３）ｅｍ２により接続されており、詳しくは、第４の巻線本体ＷＤ４の線部Ｗ２（Ｌ３）ｅ３と第５の巻線本体ＷＤ５の線部Ｗ２（Ｌ２）ｍ４とが、接続配線Ｗ２（Ｌ２−Ｌ３）ｅｍ１により接続され、また、第４の巻線本体ＷＤ４の線部Ｗ２（Ｌ３）ｅ４と第５の巻線本体ＷＤ５の線部Ｗ２（Ｌ２）ｍ３とが、接続配線Ｗ２（Ｌ２−Ｌ３）ｅｍ２により接続されている。
【００３４】
第５の巻線本体ＷＤ５と第６の巻線本体ＷＤ６とは、図３（Ａ）及び図４（Ａ）に示されるように、ねじれの関係にある一対の接続配線Ｗ２（Ｌ２−Ｌ３）ｍｉ１、Ｗ２（Ｌ２−Ｌ３）ｍｉ２により接続されており、詳しくは、第５の巻線本体ＷＤ５の線部Ｗ２（Ｌ２）ｍ６と、第６の巻線本体ＷＤ６の線部Ｗ２（Ｌ３）ｉ１とが、接続配線Ｗ２（Ｌ２−Ｌ３）ｍｉ１により接続されており、また、第５の巻線本体ＷＤ５の線部Ｗ２（Ｌ２）ｍ１と第６の巻線本体ＷＤ６の線部Ｗ２（Ｌ３）ｉ５とが、接続配線Ｗ２（Ｌ２−Ｌ３）ｍｉ２により接続されている。
【００３５】
〈効果〉
上述したように、実施例１のインダクタＤ１では、前記第１の巻線Ｗ１と前記第２の巻線Ｗ２と重畳して構成されており、しかも、前記第２の層Ｌ２に設けられている、前記第１の巻線Ｗ１の前記第１の巻線本体ＷＤ１と前記第３の巻線本体ＷＤ３との間に、前記第２の巻線Ｗ２の前記第５の巻線本体ＷＤ５が位置していることから、インダクタＤ１を、従来と異なり、３つの層、即ち、第１の層Ｌ１〜第３の層Ｌ３だけで構成することが可能となり、これにより、インダクタＤ１を「薄化」することが可能となる。
【００３６】
《実施例２》
〈第１の巻線と第２の巻線〉
図５は、実施例２のインダクタの構成を示す斜視図であり、図６は、実施例２のインダクタの構成を示す平面図及び断面図である。実施例２のインダクタＤ２は、平衡型の回路系と不平衡型の回路系との間でのトランスとして機能すべく、図５及び６（Ａ）に示されるように、第１の巻線Ｗ１及び第２の巻線Ｗ２を含む。
【００３７】
図７（Ｂ）に明示される、第１の巻線Ｗ１の接続配線Ｗ１（Ｌ１−Ｌ２）ｍｉ１、Ｗ１（Ｌ１−Ｌ２）ｍｉ２のような、層Ｌ１〜Ｌ３（図６（Ｂ）に図示。）間に亘る接続配線についての詳細な構成については、図９を用いて後述する。
【００３８】
第１の巻線Ｗ１及び第２の巻線Ｗ２は、図６（Ｂ）に示されるように、基板ＳＢ上にパシベーション層ＰＶを隔てて形成されている第１の層Ｌ１、第２の層Ｌ２、及び第３の層Ｌ３に亘って設けられており、詳しくは、第１の巻線Ｗ１と第２の巻線Ｗ２とは、重畳している。
【００３９】
図７（Ａ）は、実施例２の第２の巻線の構成を示す平面図であり、図７（Ｂ）は、実施例２の第１の巻線の構成を示す平面図であり、図８は、実施例２の第２の巻線の構成を構成を示す斜視図であり、図８（Ｂ）は、実施例２の第１の巻線の構成を示す斜視図である。
【００４０】
〈第１の巻線〉
第１の巻線Ｗ１は、図７（Ｂ）及び図８（Ｂ）に示されるように、第１の巻線本体ＷＤ１と、第２の巻線本体ＷＤ２と、第３の巻線本体ＷＤ３と、一対の入出力配線Ｗ１（Ｌ２）ｅＡ、Ｗ１（Ｌ２）ｅＢと、一対の接続配線Ｗ１（Ｌ１−Ｌ２）ｅｍ１、Ｗ１（Ｌ１−Ｌ２）ｅｍ２と、一対の接続配線Ｗ１（Ｌ１−Ｌ２）ｍｉ１、Ｗ１（Ｌ１−Ｌ２）ｍｉ２と、を含む。
【００４１】
第１の巻線本体ＷＤ１は、図６（Ｂ）に示されるように、第２の層Ｌ２に設けられており、また、図７（Ｂ）及び図８（Ｂ）に示されるように、６本の線部、即ち、線部Ｗ１（Ｌ２）ｅ１〜Ｗ１（Ｌ２）ｅ６から構成されている。当該第１の巻線本体ＷＤ１の線部Ｗ１（Ｌ２）ｅ１、Ｗ１（Ｌ２）ｅ６から、当該第１の巻線本体ＷＤ１から平行型の信号を入力し又は出力するための入出力配線Ｗ１（Ｌ２）ｅＡ、Ｗ１（Ｌ２）ｅＢがＹ方向にそれぞれ延在し又は突出している。
【００４２】
第２の巻線本体ＷＤ２は、図６（Ｂ）に示されるように、前記第２の層Ｌ２の下である第１の層Ｌ１に設けられており、また、図７（Ｂ）及び図８（Ｂ）に示されるように、第１の巻線本体ＷＤ１より一回り小さく形成されている。当該第２の巻線本体ＷＤ２は、６本の線部、即ち、線部Ｗ１（Ｌ１）ｍ１〜Ｗ１（Ｌ１）ｍ６から構成されている。
【００４３】
第３の巻線本体ＷＤ３は、図６（Ｂ）に示されるように、第１の巻線本体ＷＤ１と同様に、第２の層Ｌ２に設けられており、また、図７（Ｂ）及び図８（Ｂ）に示されるように、第２の巻線本体ＷＤ２より一回り小さく形成されている。当該第３の巻線本体ＷＤ３は、５本の線部、即ち、線部Ｗ１（Ｌ２）ｉ１〜Ｗ１（Ｌ２）ｉ５から構成されている。
【００４４】
第１の巻線本体ＷＤ１と第２の巻線本体ＷＤ２とは、図７（Ｂ）及び図８（Ｂ）に示されるように、ねじれの関係にある一対の接続配線Ｗ１（Ｌ１−Ｌ２）ｅｍ１、Ｗ１（Ｌ１−Ｌ２）ｅｍ２により接続されており、詳しくは、第１の巻線本体ＷＤ１の線部Ｗ１（Ｌ２）ｅ３と第２の巻線本体ＷＤ２の線部Ｗ１（Ｌ１）ｍ４とが、接続配線Ｗ１（Ｌ１−Ｌ２）ｅｍ１により接続され、また、第１の巻線本体ＷＤ１の線部Ｗ１（Ｌ２）ｅ４と第２の巻線本体ＷＤ２の線部Ｗ１（Ｌ１）ｍ３とが、接続配線Ｗ１（Ｌ１−Ｌ２）ｅｍ２により接続されている。
【００４５】
第２の巻線本体ＷＤ２と第３の巻線本体ＷＤ３とは、図７（Ｂ）及び図８（Ｂ）に示されるように、ねじれの関係にある一対の接続配線Ｗ１（Ｌ１−Ｌ２）ｍｉ１、Ｗ１（Ｌ１−Ｌ２）ｍｉ２により接続されており、詳しくは、第２の巻線本体ＷＤ２の線部Ｗ１（Ｌ１）ｍ６と、第３の巻線本体ＷＤ３の線部Ｗ１（Ｌ２）ｉ１とが、接続配線Ｗ１（Ｌ１−Ｌ２）ｍｉ１により接続されており、また、第２の巻線本体ＷＤ２の線部Ｗ１（Ｌ１）ｍ１と第３の巻線本体ＷＤ３の線部Ｗ１（Ｌ２）ｉ５とが、接続配線Ｗ１（Ｌ１−Ｌ２）ｍｉ２により接続されている。
【００４６】
〈第２の巻線〉
第２の巻線Ｗ２は、図７（Ａ）及び図８（Ａ）に示されるように、第４の巻線本体ＷＤ４と、接続配線Ｗ２（Ｌ２−Ｌ３）と、入出力配線Ｗ２（Ｌ２）と、を含む。
【００４７】
第４の巻線本体ＷＤ４は、図６（Ｂ）に示されるように、前記第２の層Ｌ２の上である第３の層Ｌ３に設けられており、また、図７（Ａ）及び図８（Ａ）に示されるように、１２本の線部、線部Ｗ２（Ｌ３）１〜Ｗ２（Ｌ３）１２から構成されている。
【００４８】
線部Ｗ２（Ｌ３）１〜Ｗ２（Ｌ３）１２は、協働して渦巻形状を形成している。
【００４９】
接続配線Ｗ２（Ｌ２−Ｌ３）は、図７（Ａ）、図８（Ｂ）に示されるように、前記第４の巻線本体ＷＤ４の中心側の端部ＥＤ４を起点として、前記第３の層Ｌ３及び前記第２の層Ｌ２に亘ってＺ方向に延在している。
【００５０】
入出力配線Ｗ２（Ｌ２）は、図６（Ｂ）に示されるように、第２の層Ｌ２に設けられており、さらに、図８（Ａ）に示されるように、接続配線Ｗ２（Ｌ２−Ｌ３）の端部ＥＤ５を起点として前記第４の巻線本体ＷＤ４の外側に向けて、図７（Ｂ）、図８（Ｂ）に示されるように、層Ｌ２に位置する、前記一対の入出力配線Ｗ１（Ｌ２）ｅＡ、Ｗ１（Ｌ２）ｅＢにより規定される領域ＡＲ１を経て延在している。当該入出力配線Ｗ２（Ｌ２）は、不平衡型の信号について前記第４の巻線本体ＷＤ４の外側の端部ＥＤ６と協働して前記入力及び前記出力の他方を行うために用いられる。
【００５１】
上述したように、実施例２のインダクタＤ２では、平衡型の信号の入出力のための第１の巻線Ｗ１と、不平衡型の信号の入出力のための第２の巻線Ｗ２とを、重畳させている。しかも、第２の巻線Ｗ２の第４の巻線本体ＷＤ４の端部ＥＤ４に接続配線Ｗ２（Ｌ２−Ｌ３）を介して繋がる入出力配線Ｗ２（Ｌ２）を、第１の巻線Ｗ１における、一対の入出力配線Ｗ１（Ｌ２）ｅＡ、Ｗ１（Ｌ２）ｅＢにより規定される領域ＡＲ１を経て延在させることにより、前記入出力配線Ｗ２（Ｌ２）を、第１の層Ｌ１〜第３の層Ｌ３以外の他の層に設ける必要が無いことから、当該実施例２のインダクタＤ２を第１の層Ｌ１〜第３の層Ｌ３のみだけで構成することが可能となり、即ち、従来に比して「薄化」することが可能となる。
【００５２】
《実施例１及び実施例２の層間の接続配線》
図９は、実施例１及び実施例２の層間の接続配線の構成を示す斜視図である。図４（Ａ）、（Ｂ）に明示される、実施例１の第１の巻線Ｗ１における層Ｌ１及び層Ｌ２間の配線である、接続配線Ｗ１（Ｌ１−Ｌ２）ｅｍ１、Ｗ１（Ｌ１−Ｌ２）ｅｍ２、Ｗ１（Ｌ１−Ｌ２）ｍｉ１、Ｗ１（Ｌ１−Ｌ２）ｍｉ２、及び、第２の巻線Ｗ２における層Ｌ２、Ｌ３間の配線である、接続配線Ｗ２（Ｌ２−Ｌ３）ｍｉ１、Ｗ２（Ｌ２−Ｌ３）ｍｉ２、Ｗ２（Ｌ２−Ｌ３）ｅｍ１、Ｗ２（Ｌ２−Ｌ３）ｅｍ２、並びに、図８（Ｂ）に明示される、実施例２の第１の巻線Ｗ１における層Ｌ１、Ｌ２間の配線である、接続配線Ｗ１（Ｌ１−Ｌ２）ｍｉ１、Ｗ１（Ｌ１−Ｌ２）ｍｉ２、Ｗ１（Ｌ１−Ｌ２）ｅｍ１、Ｗ１（Ｌ１−Ｌ２）ｅｍ２の詳細な構造については、以下の通りである。
【００５３】
即ち、例えば、実施例１の接続配線Ｗ１（Ｌ１−Ｌ２）ｅｍ１、Ｗ１（Ｌ１−Ｌ２）ｅｍ２は、図９（Ａ）に示されるように、鈍角である頂角を有する凸状の部分を有し、かつ、相互にねじれの関係にあり、図９（Ｂ）に示されるように、湾曲の部分を有し、かつ、相互にねじれの関係にあり、又は、図９（Ｃ）に示されるように、切り欠きの部分を有する。このような構造を有することにより、接続配線Ｗ１（Ｌ１−Ｌ２）ｅｍ１及び接続配線Ｗ１（Ｌ１−Ｌ２）ｅｍ２の一方が、他方にとって邪魔な存在になることを回避することができる。
【００５４】
他の接続配線Ｗ１（Ｌ１−Ｌ２）ｍｉ１、Ｗ１（Ｌ１−Ｌ２）ｍｉ２、Ｗ２（Ｌ２−Ｌ３）ｍｉ１、Ｗ２（Ｌ２−Ｌ３）ｍｉ２、Ｗ２（Ｌ２−Ｌ３）ｅｍ１、Ｗ２（Ｌ２−Ｌ３）ｅｍ２、Ｗ１（Ｌ１−Ｌ２）ｍｉ１、Ｗ１（Ｌ１−Ｌ２）ｍｉ２も同様な構造を有し、これにより、上記したと同様な効果を得ることができる。
【図面の簡単な説明】
【００５５】
【図１】実施例１のインダクタの構成を示す斜視図。
【図２】実施例１のインダクタの構成を示す平面図及び断面図。
【図３】実施例１の第１の巻線及び第２の巻線の構成を示す平面図。
【図４】実施例１の第１の巻線及び第２の巻線の構成を示す斜視図。
【図５】実施例２のインダクタの構成を示す斜視図。
【図６】実施例２のインダクタの構成を示す平面図及び断面図。
【図７】実施例２の第１の巻線及び第２の巻線の構成を示す平面図。
【図８】実施例２の第１の巻線及び第２の巻線の構成を示す斜視図。
【図９】実施例１、実施例２の層間の接続配線の詳細な構成を示す斜視図。
【図１０】従来のインダクタの構成を示す平面図及び断面図。
【符号の説明】
【００５６】
Ｄ１…インダクタ、Ｗ１…第１の巻線、Ｗ２…第２の巻線、ＷＤ１〜ＷＤ６…第１の巻線本体〜第６の巻線本体。
【図１】
0004893616.tif 000002
【図２】
0004893616.tif 000003
【図３】
0004893616.tif 000004
【図４】
0004893616.tif 000005
【図５】
0004893616.tif 000006
【図６】
0004893616.tif 000007
【図７】
0004893616.tif 000008
【図８】
0004893616.tif 000009
【図９】
0004893616.tif 000010
【図１０】
0004893616.tif 000011